(57)【特許請求の範囲】
【請求項１】
それぞれが矩形状の底板における周囲４辺に先端で折り返された二重の側壁を有する身部と蓋部とを組み合わせるカートンであって、身部には、その一つの側壁の外面板に、折返し辺と平行な切れ線により、折返し辺から所定距離だけ離れた位置に横方向の連結用スリットが形成されており、蓋部には、身部の連結用スリットが形成された側壁に対応する側壁の内面板に、折返し辺から延びるＵ字形状の切れ線により、身部の連結用スリットより短い長さで連結用フラップが区画されており、蓋部の連結用フラップの先端に凸部が設けられ、身部の連結用スリットが形成された側壁の折返し辺に前記凸部が嵌まるサイズの係止用スリットが形成されており、
蓋部の連結用フラップを身部の連結用スリットに差し込み、そのまま蓋部を引き上げて、先端の凸部を身部の係止用スリットに嵌入させ、連結用フラップの全体を連結用スリットに差し込んだ状態で、連結用フラップの根元をヒンジとして蓋部を回転させることで身部に蓋部を被せ、そのまま身部に対して蓋部を押し下げることにより閉じた状態とされ、身部に蓋部を被せて閉じた状態では、連結用フラップの凸部が連結用スリットに入り込んで、連結用フラップが連結用スリットから外れないようになり、閉じた状態で身部に対して蓋部を上方に引き上げるとロックがかかり、連結用フラップの根元をヒンジとして蓋部を回転させて開口できるようになっていることを特徴とする組合せカートン。
【発明の詳細な説明】
【技術分野】
【０００１】
本発明は、板紙やプラスチックシートなどで作成されるカートンの技術分野に属し、特に身部とそれに被さる蓋部とからなる組合せカートンに関するものである。
【背景技術】
【０００２】
従来より、様々な形式のカートンが用いられているが、身部に蓋部を被せる形式のカートンとしては、身部と蓋部が別々になっている組合せタイプ（特許文献１，２参照）と、身部と蓋部が連結している一体タイプ（特許文献３，４参照）とがある。
【先行技術文献】
【特許文献】
【０００３】
【特許文献１】特開平９−２４９２６４号公報
【特許文献２】特開２００６−７６６３３号公報
【特許文献３】特開平１０−２７８９２２号公報
【特許文献４】特開平１１−２３６０２９号公報
【発明の概要】
【発明が解決しようとする課題】
【０００４】
上記したカートンのうち、身部と蓋部が別々になっているものは、蓋部を開けて身部から離した状態にすることができ、また別にした蓋部を身部の外側に重ねた状態とすることもできる。ところが、カートンを繰り返し開閉して中身を小出しするような使い方をした場合、別になった蓋部が不注意等により何処かに行ってしまうことが起こる。また、蓋をするときに位置決めが必要となり、子供や高齢者にとってはスムースに蓋をすることができないといった問題もある。一方、身部と蓋部が連結しているものは、蓋部が何処かに行ってしまうような事態は起こらないが、中身を展示するときのように身部を独立した箱として使用することができない。このように、身部と蓋部が別々のタイプと連結したタイプを比べてみると、それぞれに一長一短がある。
【０００５】
本発明は、このような問題に鑑みてなされたものであり、その目的とするところは、身部と蓋部とを有するカートンであって、それらを別々の状態と連結した状態のいずれのタイプとしてでも使用することができる組合せカートンを提供することにある。
【課題を解決するための手段】
【０００６】
上記の目的を達成するため、本発明に係る組合せカートンは、それぞれが矩形状の底板における周囲４辺に先端で折り返された二重の側壁を有する身部と蓋部とを組み合わせるカートンであって、身部には、その一つの側壁の外面板に、折返し辺と平行な切れ線により、折返し辺から所定距離だけ離れた位置に横方向の連結用スリットが形成されており、蓋部には、身部の連結用スリットが形成された側壁に対応する側壁の内面板に、折返し辺から延びるＵ字形状の切れ線により、身部の連結用スリットより短い長さで連結用フラップが区画されており、蓋部の連結用フラップの先端に凸部が設けられ、身部の連結用スリットが形成された側壁の折返し辺に前記凸部が嵌まるサイズの係止用スリットが形成されており、
蓋部の連結用フラップを身部の連結用スリットに差し込み、そのまま蓋部を引き上げて、先端の凸部を身部の係止用スリットに嵌入させ、連結用フラップの全体を連結用スリットに差し込んだ状態で、連結用フラップの根元をヒンジとして蓋部を回転させることで身部に蓋部を被せ、そのまま身部に対して蓋部を押し下げることにより閉じた状態とされ、身部に蓋部を被せて閉じた状態では、連結用フラップの凸部が連結用スリットに入り込んで、連結用フラップが連結用スリットから外れないようになり、閉じた状態で身部に対して蓋部を上方に引き上げるとロックがかかり、連結用フラップの根元をヒンジとして蓋部を回転させて開口できるようになっていることを特徴とする。
【発明の効果】
【０００７】
本発明の組合せカートンは、蓋部の連結用フラップを身部の連結用スリットに差し込んだ状態にすると、蓋部を引き上げる途中でロックがかかるので、連結用フラップの根元をヒンジとして蓋部を回転させて開口することができ、蓋を閉じるときには、位置決めをしないでスムーズに閉じることができる。そして、開口状態で蓋部の連結用フラップを身部の連結用スリットから引き抜くと、身部と蓋部が別々となった通常のカートンとして利用することができる。このように，身部と蓋部とを必要に応じて別々の状態と連結した状態のいずれのタイプとしてでも使用することができる。
【図面の簡単な説明】
【０００８】
【図１】本発明に係る組合せカートンの一例を示す斜視図である。
【図２】図１の組合せカートンにおける身部を形成するブランクの展開図である。
【図３】図１の組合せカートンにおける蓋部を形成するブランクの展開図である。
【図４】図１の組合せカートンにおける身部に蓋部を被せて押し下げる前の状態を示す側面図である。
【図５】図１の組合せカートンにおける身部に蓋部を被せて閉じた状態を示す側面図である。
【図６】本発明に係る組合せカートンの別の例を示す斜視図である。
【図７】図６の組合せカートンにおける身部を形成するブランクの展開図である。
【図８】図６の組合せカートンにおける蓋部を形成するブランクの展開図である。
【図９】図６の組合せカートンにおける身部に蓋部を被せて押し下げる前の状態を示す側面図である。
【図１０】図６の組合せカートンにおける身部に蓋部を被せて閉じた状態を示す側面図である。
【発明を実施するための形態】
【０００９】
次に、本発明の実施形態について図面を参照しながら詳細に説明する。
【００１０】
図１は本発明に係る組合せカートンの一例を示すもので、この組合せカートンは、身部Ａとそれに被せられる蓋部Ｂとからなり、身部Ａは図２に示すブランク１０を組み立てて形成され、蓋部Ｂは図３に示すブランク２０を組み立てて形成されている。
【００１１】
図２のブランク１０は、紙器用の板紙を打ち抜いて形成されたもので、その形状は左右対称であって、図示のように、矩形状をした底板１１を中心にして、その前後両端にそれぞれ長辺側外面板１２、長辺側内面板１３及び折曲げ片１４が順に連設され、左右両端にそれぞれ短辺側外面板１５、短辺側内面板１６及び折曲げ片１７が順に連設されている。また、長辺側外面板１２の左右両端にはそれぞれ挟持片１２ａが連設され、長辺側内面板１３の左右両端にはそれぞれ挟持片１３ａが連設されている。なお、折曲げ片１７の先端には摘み部分１７ａが設けられている。
【００１２】
そして、一方の長辺側外面板１２には、中ほどを横断する切れ線により、隣接する長辺側内面板１３から所定距離だけ離れた位置に横方向の連結用スリットαが形成されている。この切れ線の両端は底板１１に向かって小さな半円状になっており、紙が破れて連結用スリットαが広がるのを防止している。また、連結用スリットαの中央には底板１１に向かって半円状の切抜きａを形成してあり、連結用フラップ（後述）の差込みを容易としている。さらに、長辺側外面板１２と長辺側内面板及１３の境界には、連結用フラップ（後述）の先端に設けた凸部（後述）が入るサイズの係止用スリットβが形成されている。
【００１３】
図３のブランクは、図２のブランクと同じ紙器用の板紙を打ち抜いて形成されたもので、その形状は左右対称であって、図示のように、矩形状をした底板２１を中心にして、その前後両端にそれぞれ長辺側外面板２２、長辺側内面板及２３び折曲げ片２４が順に連設され、左右両端にそれぞれ短辺側外面板２５、短辺側内面板２６及び折曲げ片２７が順に連設されている。また、長辺側外面板２２の左右両端にはそれぞれ挟持片２２ａが連設され、長辺側内面板２３の左右両端にはそれぞれ挟持片２３ａが連設されている。なお、折曲げ片２７の先端には摘み部分２７ａが設けられている。
【００１４】
そして、一方の長辺側内面板２３には、隣接する長辺側外面板２２との境界線から延びるＵ字形状の切れ線により、連結用フラップ２８が区画されている。この連結用フラップ２８の先端中ほどには円弧状に突き出た凸部２８ａが設けられており、この凸部２８ａはブランク１０における係止用スリットβに嵌まるサイズになっている。また、これらの長辺側内面板２３と長辺側外面板２２にはそれらの境界を跨ぐようにして、この連結用フラップ２８のところに丸孔状の切抜きｂが形成されており、同様に、反対側の長辺側内面板２３と長辺側外面板２２にもそれらの境界を跨ぐようにして、この切抜きｂよりも一回り大きな丸孔状の切抜きｃが形成されている。
【００１５】
ブランク１０，２０は、いずれも従来の組立箱と同様の手順で組み立てられる。すなわち、ブランク１０については、底板１１に対し、長辺側外面板１２、長辺側内面板１３及び折曲げ片１４を順次折り曲げて前後に二重壁を形成してから、挟持片１２ａと挟持片１３ａを重なったまま内側に折り込みつつ、短辺側外面板１５、短辺側内面板１６及び折曲げ片１７を順次折り曲げた後、前後の折曲げ片１４の下に左右の折曲げ片１７をもぐり込ませるようにして双方の折曲げ片１４，１７の両端を噛み合わせる。これにより、図１に示す身部Ａが形成される。
【００１６】
また、ブランク２０については、底板２１に対し、長辺側外面板２２、長辺側内面板２３及び折曲げ片２４を順次折り曲げて前後に二重壁を形成してから、挟持片２２ａと挟持片２３ａを重なったまま内側に折り込みつつ、短辺側外面板２５、短辺側内面板２６及び折曲げ片２７を順次折り曲げた後、前後の折曲げ片２４の下に折曲げ片２７をもぐり込ませるようにして双方の折曲げ片２４，２７の両端を噛み合わせる。これにより、図１に示す蓋部Ｂが形成される。このとき、連結用フラップ２８には折り癖を付けてあり、これによって図示の如く少し斜めに浮き上がった状態になっている。
【００１７】
図１に示すように、組み立てた身部Ａと蓋部Ｂを準備し、身部Ａに内容物を入れてから蓋部Ｂを被せる。このとき、蓋部Ｂの連結用フラップ２８を身部Ａの連結用スリットαに差し込み、そのまま蓋部Ｂを引き上げて、先端の凸部２８ａを身部Ａの係止用スリットβに嵌入させる。この連結に際し、連結用スリットαに沿って切抜きａが形成され、連結用フラップ２８には凸部２８ａが設けてあるので、連結用フラップ２８を連結用スリットαに容易に差し込むことができる。このように連結用フラップ２８の全体を連結用スリットαに差し込んだ状態で、連結用フラップ２８の根元をヒンジとして蓋部Ｂを回転させ、図４に示す如く身部Ａに蓋部Ｂを被せる。
【００１８】
そして、そのまま身部Ａに対して蓋部Ｂを押し下げることにより、図５に示す如く閉じた状態にすることができる。この閉じた状態では、連結用フラップ２８の凸部２８ａが連結用スリットαに入り込んでおり、連結用フラップ２８が連結用スリットαから外れないようになっている。したがって、閉じた状態で身部Ａに対して蓋部Ｂを上方に引き上げると、図４に示す位置でロックがかかり、連結用フラップ２８の根元をヒンジとして蓋部Ｂを回転させて開口することができる。そして、このように開口した後、そのまま蓋部Ｂを被せることで、位置決めをしないで閉じることができる。また、開口状態で蓋部Ｂの連結用フラップ２８を身部Ａの連結用スリットαから引き抜くと、身部Ａと蓋部Ｂが別々となった通常のカートンとして利用することができる。
【００１９】
また、蓋部Ｂには、図１に示すように、切抜きｂ，ｃにより長辺側の側壁に半円状の窪みが形成されるが、切抜きｂ，ｃにサイズの差を持たせてあるので、触感で区別がつくようになっている。また、身部Ａは折曲げ片１７に摘み部分１７ａを設けてあり、蓋部Ｂは折曲げ片２７に摘み部分２７ａを設けてあるので、何れも分解（減容化）が容易に行えるようになっている。
【００２０】
図６は本発明に係る組合せカートンの別の例を示すもので、この組合せカートンは、身部Ｃとそれに被せられる蓋部Ｄとからなり、身部Ｃは図７に示すブランク３０を組み立てて形成され、蓋部Ｄは図８に示すブランク４０を組み立てて形成されている。
【００２１】
図７のブランク３０は、紙器用の板紙を打ち抜いて形成されたもので、その形状は左右対称であって、図示のように、矩形状をした底板３１を中心にして、その前後両端にそれぞれ長辺側外面板３２、長辺側内面板３３及び折曲げ片３４が順に連設され、左右両端にそれぞれ短辺側外面板３５、短辺側内面板３６及び折曲げ片３７が順に連設されている。また、短辺側外面板３５の左右両端にはそれぞれ挟持片３５ａが連設され、短辺側内面板３６の左右両端にはそれぞれ挟持片３６ａが連設されている。なお、折曲げ片３４の先端には摘み部分３４ａが設けられている。
【００２２】
そして、一方の短辺側外面板３５には、中ほどを横断する切れ線により、隣接する短辺側内面板３６から所定距離だけ離れた位置に横方向の連結用スリットαが形成されている。この切れ線の両端は底板３１に向かって小さな半円状になっており、紙が破れて連結用スリットαが広がるのを防止している。また、連結用スリットαの中央には底板３１に向かって半円状の切抜きａを形成してあり、連結用フラップ（後述）の差込みを容易としている。さらに、短辺側外面板３５と短辺側内面板及３６の境界には、連結用フラップ（後述）の先端に設けた凸部（後述）が入るサイズの係止用スリットβが形成されている。
【００２３】
図８のブランクは、図７のブランクと同じ紙器用の板紙を打ち抜いて形成されたもので、その形状は左右対称であって、図示のように、矩形状をした底板４１を中心にして、その前後両端にそれぞれ長辺側外面板４２、長辺側内面板及４３び折曲げ片４４が順に連設され、左右両端にそれぞれ短辺側外面板４５、短辺側内面板４６及び折曲げ片４７が順に連設されている。また、短辺側外面板４５の左右両端にはそれぞれ挟持片４５ａが連設され、短辺側内面板４６の左右両端にはそれぞれ挟持片４６ａが連設されている。なお、折曲げ片４４の先端には摘み部分４４ａが設けられている。
【００２４】
そして、一方の短辺側内面板４６には、隣接する短辺側外面板４５との境界線から延びるＵ字形状の切れ線により、連結用フラップ４８が区画されている。この連結用フラップ４８の先端中ほどには円弧状に突き出た凸部４８ａが設けられており、この凸部４８ａはブランク３０における係止用スリットβに嵌まるサイズになっている。また、長辺側外面板４２と長辺側内面板４３にはそれらの境界を跨ぐようにして、中央から右側にずれた位置に丸孔状の切抜きｂが形成されている。
【００２５】
ブランク３０，４０は、いずれも従来の組立箱と同様の手順で組み立てられる。すなわち、ブランク３０については、底板３１に対し、短辺側外面板３５、短辺側内面板３６及び折曲げ片３７を順次折り曲げて前後に二重壁を形成してから、挟持片３５ａと挟持片３６ａを重なったまま内側に折り込みつつ、長辺側外面板３２、長辺側内面板３３及び折曲げ片３４を順次折り曲げた後、左右の折曲げ片３７の下に前後の折曲げ片３４をもぐり込ませるようにして双方の折曲げ片３４，３７の両端を噛み合わせる。これにより、図６に示す身部Ｃが形成される。
【００２６】
また、ブランク４０については、底板４１に対し、短辺側外面板４５、短辺側内面板４６及び折曲げ片４７を順次折り曲げて前後に二重壁を形成してから、挟持片４５ａと挟持片４６ａを重なったまま内側に折り込みつつ、長辺側外面板４２、長辺側内面板４３及び折曲げ片４４を順次折り曲げた後、左右の折曲げ片４７の下に前後の折曲げ片４４をもぐり込ませるようにして双方の折曲げ片４４，４７の両端を噛み合わせる。これにより、図６に示す蓋部Ｄが形成される。このとき、連結用フラップ４８には折り癖を付けてあり、これによって図示の如く少し斜めに浮き上がった状態になっている。
【００２７】
図６に示すように、組み立てた身部Ｃと蓋部Ｄを準備し、身部Ｃに内容物を入れてから蓋部Ｄを被せる。このとき、蓋部Ｄの連結用フラップ４８を身部Ｃの連結用スリットαに差し込み、そのまま蓋部Ｄを引き上げて、先端の凸部４８ａを身部Ｄの係止用スリットβに嵌入させる。この連結に際し、連結用スリットαに沿って切抜きａが形成され、連結用フラップ４８には凸部４８ａが設けてあるので、連結用フラップ４８を連結用スリットαに容易に差し込むことができる。このように連結用フラップ４８の全体を連結用スリットαに差し込んだ状態で、連結用フラップ４８の根元をヒンジとして蓋部Ｂを回転させ、図９に示す如く身部Ｃに蓋部Ｄを被せる。
【００２８】
そして、そのまま身部Ｃに対して蓋部Ｄを押し下げることにより、図１０に示す如く閉じた状態にすることができる。この閉じた状態では、連結用フラップ４８の凸部４８ａが連結用スリットαに入り込んでおり、連結用フラップ４８が連結用スリットαから外れないようになっている。したがって、閉じた状態で身部Ｃに対して蓋部Ｄを上方に引き上げると、図９に示す位置でロックがかかり、連結用フラップ４８の根元をヒンジとして蓋部Ｄを回転させて開口することができる。そして、このように開口した後、そのまま蓋部Ｄを被せることで、位置決めをしないで閉じることができる。また、開口状態で蓋部Ｄの連結用フラップ４８を身部Ｃの連結用スリットαから引き抜くと、身部Ｃと蓋部Ｄが別々となった通常のカートンとして利用することができる。
【００２９】
また、蓋部Ｄには、図６に示すように、切抜きｂにより長辺側の側壁に半円状の窪みが形成されるが、切抜きｂは中央からずらして形成してあるので、ヒンジ部での回転が容易に行えるようになっている。また、身部Ｃは折曲げ片３４に摘み部分３４ａを設けてあり、蓋部Ｄは折曲げ片４４に摘み部分４４ａを設けてあるので、何れも分解（減容化）が容易に行えるようになっている。
【００３０】
以上、本発明の実施の形態について、２つの例を挙げて詳細に説明してきたが、本発明による組合せカートンは、上記実施の形態に何ら限定されるものではなく、本発明の趣旨を逸脱しない範囲において種々の変更が可能である。
【符号の説明】
【００３１】
Ａ，Ｂ  身部
Ｃ，Ｄ  蓋部
１０  ブランク
１１  底板
１２  長辺側外面板
１２ａ  挟持片
１３  長辺側内面板
１３ａ  挟持片
１４  折曲げ片
１５  短辺側外面板
１６  短辺側内面板
１７  折曲げ片
１７ａ  摘み部分
２０  ブランク
２１  底板
２２  長辺側外面板
２２ａ  挟持片
２３  長辺側内面板
２３ａ  挟持片
２４  折曲げ片
２５  短辺側外面板
２６  短辺側内面板
２７  折曲げ片
２７ａ  摘み部分
２８  連結用フラップ
２８ａ  凸部
３０  ブランク
３１  底板
３２  長辺側外面板
３３  長辺側内面板
３４  折曲げ片
３４ａ  摘み部分
３５  短辺側外面板
３５ａ  挟持片
３６  短辺側内面板
３６ａ  挟持片
３７  折曲げ片
４０  ブランク
４１  底板
４２  長辺側外面板
４３  長辺側内面板
４４  折曲げ片
４４ａ  摘み部分
４５  短辺側外面板
４５ａ  挟持片
４６  短辺側内面板
４６ａ  挟持片
４７  折曲げ片
４８  連結用フラップ
４８ａ  凸部
α  連結用スリット
β  係止用スリット
ａ，ｂ，ｃ  切抜き
【図１】
0006395109.tif 000002
【図２】
0006395109.tif 000003
【図３】
0006395109.tif 000004
【図４】
0006395109.tif 000005
【図５】
0006395109.tif 000006
【図６】
0006395109.tif 000007
【図７】
0006395109.tif 000008
【図８】
0006395109.tif 000009
【図９】
0006395109.tif 000010
【図１０】
0006395109.tif 000011